(57)【要約】【課題】積雪時であっても簡単に開閉することができ、安価で既設の門扉にも容易に適用できる門扉を提供する。【解決手段】門柱７に回動自在に連結された門扉本体１０と、門扉本体１０の前面部１１に取付けられた折畳み式の屋根３１と、を含み、屋根３１は、三角錐の形状を有し、後壁３３と前壁３５、前壁３５と側壁３７とがヒンジ３９で連結され、後壁３３と側壁３７とは連結されておらず、連結されていない側が反門柱側となるように後壁３３が門扉本体前面部１１に固定されている。積雪前に屋根３１を組み立てておけば、積雪時、屋根３１を折畳むことで門扉本体１０の前方に門扉本体１０を開けるためのスペース５１が確保され、除雪することなく門扉本体１０を開けることが可能となる。【選択図】図１
2013119742.tif 000002
【特許請求の範囲】
【請求項１】
門柱に回動自在に連結された門扉本体と、
前記門扉本体の前面部に取付けられた折畳み式の屋根と、を含み、
積雪時であっても前記屋根を折畳むことで前記門扉本体の前方に前記門扉本体を開けるためのスペースが確保され、除雪することなく前記門扉本体を開けることが可能なことを特徴とする門扉。
【請求項２】
前記屋根を折畳んだとき出来るスペースは、人が出入り可能に前記門扉本体を開けることができる大きさで、平面視において三角形であり、前記門柱側から反門柱側に向かって広くなっていることを特徴とする請求項1に記載の門扉。
【請求項３】
前記スペースは、平面視において直角三角形であり、前記直角三角形の一辺は、前記門扉本体の反門柱側端部を起点とし前記門扉本体前面部に直交することを特徴とする請求項２に記載の門扉。
【請求項４】
前記屋根は、三角錐の形状を有し、後壁と前壁、前壁と側壁とがヒンジで連結され、後壁と側壁とは連結されておらず、連結されていない側が反門柱側となるように後壁が前記門扉本体前面部に固定されていることを特徴とする請求項１から３のいずれか１に記載の門扉。
【請求項５】
前記屋根は、ワンタッチで折畳み及び組立て可能なことを特徴とする請求項１から４のいずれか１に記載の門扉。
【発明の詳細な説明】
【技術分野】
【０００１】
本発明は、特に積雪時においても簡単に開閉することができる門扉に関する。
【背景技術】
【０００２】
ダムや発電所などは外構フェンスで囲まれており、構内に入るには、外構フェンスに設けられた門扉を開ける必要があるが、積雪時には門扉の前面に積った雪を取除く必要がある。外構フェンスは一般に金網で作られた柵であり、門扉の前に積った雪を機械装置で除雪するとフェンスを壊す危険がある。そのため、人力での除雪が主流であるが、除雪のために多大な労力と時間を必要とする。また、構内設備が故障したときなどの緊急時に、外構フェンスの門扉が積雪のため開かず修理が遅れるなどの問題がある。
【０００３】
上記問題に対し、これまでにも人力による除雪をすることなく容易に開閉できる門扉が開発されている。例えば、逆Ｕ字型の門柱の左右の柱の間に扉を昇降可能に配置した門扉がある（例えば特許文献１参照）。また、上下方向に分割された複数の扉を蝶番で開閉自由に門柱に取り付け、積雪により開閉が阻害されていない位置の扉を開けることで人が出入りすることができる門扉が提案されている（例えば特許文献２参照）。
【先行技術文献】
【特許文献】
【０００４】
【特許文献１】特開平１１−６２４４６号公報
【特許文献２】特開２００１−９０４５４号公報
【発明の概要】
【発明が解決しようとする課題】
【０００５】
特許文献１に記載の門扉は、扉を昇降させるための設備及び動力が必要となる。そのため、従来の門扉に比較し構造が複雑でコストも高くなる。特許文献２に記載の門扉は、複数の扉から構成されているため、構造も複雑で製造コストも高くなる。また、特許文献１及び２に記載の門扉を既設の門扉に適用するには、大幅な作り替えが必要であり、既設の門扉に簡単に適用することはできない。
【０００６】
本発明の目的は、積雪時であっても簡単に開閉することができ、安価で既設の門扉にも容易に適用できる門扉を提供することである。
【課題を解決するための手段】
【０００７】
本発明は、門柱に回動自在に連結された門扉本体と、前記門扉本体の前面部に取付けられた折畳み式の屋根と、を含み、積雪時であっても前記屋根を折畳むことで前記門扉本体の前方に前記門扉本体を開けるためのスペースが確保され、除雪することなく前記門扉本体を開けることが可能なことを特徴とする門扉である。
【０００８】
本発明の門扉は、門扉本体前面部に取付けられた折畳み式の屋根を折畳むことで門扉本体を開けるためのスペースが確保され、除雪することなく門扉本体を開けることが可能に構成されるため、冬季など雪の時期には予め折畳み式の屋根を組み立てておくことで、積雪があってもこれを折畳むことで門扉本体を簡単に開閉することができる。また門扉本体は、特別な構造を有していないので、既設の門扉本体に折畳み式の屋根を取り付けることで簡単に本発明の門扉とすることができる。また構造が簡単であり、安価に製作することができる。
【０００９】
また本発明の門扉は、前記門扉において、前記屋根を折畳んだとき出来るスペースは、人が出入り可能に前記門扉本体を開けることができる大きさで、平面視において三角形であり、前記門柱側から反門柱側に向かって広くなっていることを特徴とする。
【００１０】
開き戸タイプの門扉は、門柱を支点に回動するので、開くときの軌跡は、平面視において扇型となる。これに対して門扉を開けるためのスペースは、平面視において三角形であるので、門扉の軌跡とほぼ一致させることが可能であり、効率的にスペースを確保することができる。積雪時に門扉を大きく開けなくても、人が出入りできる分だけ門扉を開けることができればよいとの要求は多い。この場合、門扉を開閉するために必要なスペースは比較的狭く、小型の折畳み式屋根を用いて比較的簡単に実現することができる。
【００１１】
また本発明の門扉は、前記門扉において、前記スペースは、平面視において直角三角形であり、前記直角三角形の一辺は、前記門扉本体の反門柱側端部を起点とし前記門扉本体前面部に直交することを特徴とする。
【００１２】
開き戸タイプの門扉を開くときの軌跡は、平面視において扇型となる。このとき、開き始めの軌跡は、門扉本体前面部に対して直交するので、門扉本体の前方（前面）に設けるスペースを、一辺が門扉本体の反門柱側端部を起点とし門扉本体前面部に直交する直角三角形とすれば、効率的である。
【００１３】
また本発明の門扉は、前記門扉において、前記屋根は、三角錐の形状を有し、後壁と前壁、前壁と側壁とがヒンジで連結され、後壁と側壁とは連結されておらず、連結されていない側が反門柱側となるように後壁が前記門扉本体前面部に固定されていることを特徴とする。
【００１４】
折畳み式の屋根を三角錐とすれば、少ない部材、簡単な構成で門扉を開けるためのスペースを確保することができる。折畳み式の屋根の上に雪が積もってしまうと、屋根を折畳んだとき雪が落下し、せっかくのスペースが潰れてしまうが、折畳み式の屋根を三角錐とすれば、屋根の上に雪が積もり難く、スペースの確保も容易である。またヒンジを用いて壁材を連結する構造とすれば、折畳み、組立てが簡単に行える。
【００１５】
また本発明の門扉は、前記門扉において、前記屋根は、ワンタッチで折畳み及び組立て可能なことを特徴とする。
【００１６】
門扉は、門扉を開け中に入るときのみならず、外に出るときも開ける必要がある。このため降雪時には門扉を開け中に入った後に、門扉を閉め、再度、折畳み式の屋根を組み立てる必要がある。よって折畳み式の屋根がワンタッチで折畳み、及び組立て可能なことは重要であり、本発明の門扉は、ワンタッチで折畳み及び組立て可能なため、使い勝手が非常に良い。
【発明の効果】
【００１７】
本発明の門扉は、門扉本体の前方に門扉本体を開けるためのスペースを確保する折畳み式の屋根を備えるので積雪時であっても門扉の開閉が容易である。また構造が簡単で安価であり、既設の門扉にも容易に適用することができる。
【図面の簡単な説明】
【００１８】
【図１】本発明の第１実施形態の門扉１の概略的構成を示す斜視図である。
【図２】図１の矢視ＩＩ−ＩＩから見た断面図である。
【図３】図１の門扉本体１０に取り付けられた屋根３１を折畳んだ状態を示す平面図である。
【図４】図１の門扉１に取り付けた屋根３１を構成する側壁３７の底辺の長さを決めるための説明図である。
【図５】本発明の第２実施形態の門扉２の概略的構成を示す斜視図である。
【図６】本発明の第３実施形態の門扉３の概略的構成を示す斜視図である。
【図７】スペース５１、５５、及び５９と門扉本体１０を開けた時の軌跡を模式的に示した図である。
【発明を実施するための形態】
【００１９】
図１は、本発明の第１実施形態の門扉１の概略的構成を示す斜視図である。図２は、図１の矢視ＩＩ−ＩＩから見た断面図である。図３は、門扉本体１０に取り付けられた屋根３１を折畳んだ状態を示す平面図である。ここでは、構内４と構外５との境界に設けられた外構フェンス６の取付けられた門扉１を例として説明する。
【００２０】
門扉１は、外構フェンス６の門柱７にヒンジ２７を介して回動自在に取付けられた門扉本体１０と、門扉本体前面部１１に取付けられた折畳み式の屋根３１とを含む。なお、門扉本体１０の前面とは、門扉本体１０を開けるとき前方となる面、本実施形態では構外５側の面を言い、ここに示す門扉本体１０は、前面側にのみ開けることができる。
【００２１】
門扉本体１０は、矩形の外枠フレーム１３を有し、外枠フレーム１３の対角線上には外枠フレーム１３の変形を防止するため金属性の補強棒１５が掛け渡されている。さらに外枠フレーム１３の内側全体を覆うように金網１７が取付けられている。外枠フレーム１３の内フレーム部１９にはヒンジ２７が取付けられ、該ヒンジ２７を介して門扉本体１０は、門柱７に回動自在に連結されている。また門扉本体１０は、かんぬき２９を備える。
【００２２】
門扉本体１０は、従来の門扉本体と変わるところはなく、門柱７と門扉本体１０との連結もヒンジ２７以外の回動自在な連結具を使用することができる。また門扉本体１０の大きさも特定の大きさに限定されない。
【００２３】
折畳み式の屋根３１は、積雪時に門扉本体１０の前方に門扉１を開けるためのスペース５１を設けるための屋根である。屋根３１は、組み立てられた状態で三角錐の形状を有し、門扉本体前面部１１に張り出すように設けられる。屋根３１は、三角形の形状の後壁３３、前壁３５、側壁３７を有し、底面は開口し内部は空洞である。さらに屋根３１には、屋根３１を折畳み又は組み立てる際に使用する第１ロープ４８、第２ロープ４９が取付けられている。なお、屋根３１を「組み立てる」を、屋根３１を「広げる」と言い換えることもできる。
【００２４】
後壁３３は、門扉本体１０を対角線で２分し形成される一の直角三角形と同一の大きさの透明アクリル板で形成されている。後壁３３は、一辺が外枠フレームの外フレーム部２１の端部に、他の一辺が外枠フレームの下フレーム部２３の端部に一致するようにボルトで固定されている。後壁３３の傾斜した辺は、門扉本体１０の対角線と一致する。後壁３３は、門扉本体背面部１２、構内４側から屋根３１の内部に雪が入り込むことを防止する目的で設けられている。後壁３３には、第１ロープ４８が挿通する貫通孔（図示省略）が設けられている。
【００２５】
前壁３５は、略直角三角形の形状を有する透明アクリル板で形成されている。前壁３５の大きさは、傾斜した辺が門扉本体１０の対角線と同じ長さ、つまり後壁３３の傾斜した辺と同一である。また他の一辺は、屋根３１を組み立てた状態で、前壁３５を正面から見て、外枠フレームの外フレーム部２１の端部と一致する。前壁３５は、傾斜した辺が後壁３３の傾斜した辺とヒンジ３９を介して回動可能に接続、支持されている。
【００２６】
前壁３５の前面部には、立入禁止の看板３０が取付けられている。この看板３０は、屋根３１を折畳んだとき鉛直方向となるように取付けられている。また前壁３５の底辺４１には、屋根３１を折畳んだとき、屋根３１が開かないように折り畳んだ屋根３１を門扉本体１０に固定するフック（図示省略）が取付けられている。
【００２７】
側壁３７は、略直角三角形の形状を有する透明アクリル板で形成されている。屋根３１を組み立てた状態で、側壁３７を正面から見て一辺が、外枠フレームの外フレーム部２１と略同一の高さである。側壁３７は、傾斜した辺が前壁３５の一辺とヒンジ３９を介して回動可能に連結する。
【００２８】
側壁３７は、ヒンジ３９を介して前壁３５と連結し、屋根３１を組み立てたとき一辺が後壁３３に接する。このため前壁３５の傾斜角度は、側壁３７の底辺４５の長さに依存する。屋根３１は折り畳むことで、この部分に門扉１を開けるためのスペース５１を確保するものである。このため屋根３１の上に雪が積もり、屋根３１を折畳んだときその雪が落下しては意味がない。このため本実施形態の屋根３１では、側壁３７の底辺４５の長さが、前壁３５の上に雪が積もらない角度となるように設定されている。
【００２９】
側壁３７の底辺４５の長さの決定方法の一例を示す。図４において（Ａ）は、側壁３７を正面から見た模式図、（Ｂ）は、屋根３１の底面の模式図である。図４において高さＨ１まで雪が積もったとした場合、屋根３１を折畳むと地面９には、長さＬ２の幅のスペース５１が、高さＨ１の位置では、長さＬ１の幅のスペース５１が形成される。屋根３１を折畳んだ状態で門扉本体１０を最大に開くことのできる位置は、門扉本体１０が点Ｑに接する位置である。
【００３０】
門扉１を開けて人が出入りするに必要な最小距離Ｌ３は、成人男性の場合で約３５ｃｍである。ここで積雪の高さＨ１を３０ｃｍ、若干の余裕を取りＬ１をＬ３よりも大きい４０ｃｍとすると、高さＨ＝１．８ｍの門扉１の場合、底辺４５の長さＬ２は４８ｃｍとなる。このケースの場合、門扉１を開けて人が出入りするためのスペース５１を確保するに必要な側壁３７の底辺４５の長さは、最低４８ｃｍとなる。このとき側壁３７を正面から見た頂角αは、約１５°となる。
【００３１】
後壁３３、前壁３５及び側壁３７で形成される屋根３１は、頂部が外枠フレームの上フレーム部２５に位置し、屋根３１の底辺が、屋根３１を組み立てた状態及び屋根３１を折畳んだ状態で門扉本体１０を回動可能な範囲で、限りなく地面９に近接する位置となるように設置されている。
【００３２】
上記のように後壁３３、前壁３５及び側壁３７は、ヒンジ３９を介して互いに連結されるが、後壁３３と側壁３７とは連結していない。このような構成からなる屋根３１は、側壁３７を起立させることで屋根３１を組み立てることができ、逆に側壁３７を折り畳むことで屋根３１を折畳むことができ、簡単に屋根３１の組み立て、折り畳みが可能となる。
【００３３】
屋根３１を形成する後壁３３、前壁３５、及び側壁３７には、雪は入り込むことはできないが、風は通り抜けることができる貫通孔４６が穿設されている。この貫通孔４６は、強風により屋根３１が破損、変形することを防止するためのものである。よって、小さい径の貫通孔４６を沢山設けることが好ましい。貫通孔４６に代えスリットでもよく、多孔質材を後壁３３、前壁３５、及び側壁３７に使用してもよい。なお、後壁３３、前壁３５、及び側壁３７に設けられた貫通孔４６は、屋根３１を折畳んだ状態でも風が抜けるように設けられている。
【００３４】
また後壁３３、前壁３５、及び側壁３７には、門扉本体１０に設けられたかんぬき２９を開閉するための小窓４７が設けられている。この小窓４７は、屋根３１を組み立てた状態でかんぬき２９を開閉（移動）させることが可能で、さらに屋根３１を折畳んだ状態でもかんぬき２９を開閉（移動）させることができる位置に設けられている。小窓４７には、屋根３１の内部に雪が入り込まないように開閉可能な蓋が取り付けられている。
【００３５】
屋根３１を組み立てる際には、側壁３７が外枠フレームの外フレーム部２１の端部に一致するように組み立てられるが、側壁３７は後壁３３と連結していないため側壁３７の位置決めが難しい。これを解決するために後壁３３と接触する側壁３７の端面４２には、三角締まり（図示省略）が上下２か所に取付けられている。また後壁３３には、これに対応する位置に三角締まりが嵌り込む凹部（図示省略）が設けられている。これにより屋根３１を組み立てたとき、簡単に側壁３７の位置決めを行うことができる。
【００３６】
屋根３１を組み立てた後は、屋根３１が風などを受けて容易に変形、又は折畳まれないようにする必要がある。このため後壁３３と接触する側壁３７の端面４２近傍には、外枠フレーム１３と係止する係止フック（図示省略）が設けられ、外枠フレーム１３には係止フックが係止する留め具（図示省略）が取付けられている。この係止フックを利用することで屋根３１を組み立てた後、屋根３１が風などを受けて容易に変形、又は折畳まれることを防止することができる。
【００３７】
第１ロープ４８、第２ロープ４９は、屋根３１を折畳み又は組み立てる際に使用するロープである。第１ロープ４８は主として、屋根３１を折畳む際に使用し、一端が後壁３３と接触する側壁３７の端面４２近傍で側壁３７の裏面部４３に、雪に埋もれない位置に取り付けられている。他端は、後壁３３の貫通孔及び門扉本体１０の金網１７を挿通し、門扉本体１０の裏面に位置する。第２ロープ４９は、主として屋根３１を組み立てる際に使用し、一端が後壁３３と接触する側壁３７の端面４２近傍で側壁３７の表面部４４に、雪に埋もれない位置に取り付けられている。他端は、門扉本体１０と門柱８との間から門扉本体１０の裏側に挿入されている。
【００３８】
第１ロープ４８、及び第２ロープ４９は一本でなくてもよく、それぞれ２本取り付けてもよい。屋根３１を折畳み又は組み立てる際に、側壁３７を変形させることなく、また無理なく側壁３７を起立、または折畳むことができることが重要であり、第１ロープ４８、及び第２ロープ４９の本数は特に限定されない。また長さも特定の長さに限定されるものではない。
【００３９】
屋根３１の形状とスペース５１との関係について説明する。門扉本体３１を回動させると門扉本体１０の先端部、つまり外枠フレームの外フレーム部２１は、門柱７を中心に円弧を描き、門扉本体１０を開けるとき門扉本体１０が描く軌跡は扇型となる。このためスペース５１もこの扇型に対応するスペースを設けることが効率的である。本実施形態に示す門扉１の場合、屋根３１を折畳むと門柱８側が広い平面視において三角形のスペース５１が形成される。この三角形のスペース５１は、図４に示すように門扉本体１０が描く軌跡とほぼ一致するので、非常に効率的なスペース５１と言える。スペース５１は、門扉本体１０が描く軌跡よりも大きいので、門扉本体１０を確実に開けることができる。
【００４０】
門扉本体１０は、開き始め回転円の接線方向に、即ち回動前の門扉本体１０の前面部１１に直交するように回転する。このため側壁３７を門扉本体の前面部１１に対して直交するように取り付けることで、積雪に妨げられない効果的なスペース５１を確保することができる。屋根３１を大きくするとスペース５１も大きくすることができるが、大きくするほど前壁３５の傾斜角度が大きくなる。この角度が大きくなり過ぎると、前壁３５上に降った雪が滑り落ちず、積もってしまうため注意が必要である。
【００４１】
門扉１の使用方法を示す。冬期になると雪が降る前に屋根３１を組み立てる。屋根３１を組み立てた状態は図１の状態である。積雪時、門扉本体１０を開け、構内４に入るには、かんぬき２９を外し、側壁３７に取付けられた係止フックを外し、側壁３７が後壁３３と前壁３５との間に位置するように屋根３１を折畳む。屋根３１を折畳んだ状態は、図３の状態である。屋根３１を折畳んだ後、折畳んだ屋根３１を固定フックで門扉本体１０に固定する。
【００４２】
屋根３１を折畳むと門扉本体１０の前方に雪のないスペース５１が現れるので、門扉本体１０を開けることができる。なお、折畳まれた屋根３１は、門扉本体１０に固定されているので、屋根３１も門扉本体１０といっしょになって回動する。構内４に入った後は、直ちに門扉１を閉め、かんぬき２９を掛け、屋根３１を固定した固定フックを外し、第２ロープ４９を引っ張り側壁３７を起立させる。第２ロープ４９を引っ張り、側壁３７を起立させると、これに連結する前壁３５も起立し、側壁３７に取付けられた三角締まりが凹部に嵌り込んだ時点で屋根３１の組み立てが完成する。この後、屋根３１が風、雪で変形、折り畳まれないように係止フックを係止する。また第１ロープ４８、第２ロープ４９も全部が雪に埋もれないように一部を門扉本体１０に引っ掛けておくことが好ましい。
【００４３】
構内に入った後に、屋根３１を組み立てることなくそのままにしておくと、門扉本体１０の前方に雪が積り出られなくなるため、構内４に入った後は、直ちに門扉１を閉め、屋根３１を組み立てる。構内４から構外５に出るときは、かんぬき２９及び係止フックを外し、第１ロープ４８を引っ張り屋根３１を折畳む。その後、折り畳んだ屋根３１を固定フックを介して門扉本体１０に固定し、門扉１を開け構外５に出る。構外５に出た後は、直ちに門扉１を閉め、屋根３１を組み立てておく。
【００４４】
夏季など雪が降らない時期には、屋根３１を折畳み、固定フックを介して門扉本体１０に固定しておく。屋根３１を構成する後壁３３、前壁３５、側壁３７には、風が抜ける貫通孔４６が設けられているので、屋根３１が風で飛ばされることはない。
【００４５】
以上のように門扉１は、門扉本体前面部１１に三角錐の折り畳み式屋根３１を備えるので、屋根３１を組み立てておけば降る雪は三角錐の屋根３１でさえぎられ、屋根３１の下には雪が積もらないスペース５１が確保される。このため積雪時であっても折り畳み式屋根３１を利用することで、除雪することなく門扉１を開けることができる。また屋根３１は折り畳み式であるので、夏季など雪の降らない時期には、折り畳み門扉本体１０に固定することができるので、邪魔にならない。
【００４６】
本実施形態に示す門扉１は、人が出入りすることができる分だけ門扉１を開けることが可能な門扉１を目的としているため、屋根３１も小型である。また積雪時、降雪時であっても、屋根３１をワンタッチで組み立て、又は折畳むことができるので、門扉１の開閉も簡単にかつ迅速に行うことができる。また屋根３１の構造も簡単であり、既設の門扉にも容易に適用することができる。
【００４７】
図５は、本発明の第２実施形態の門扉２の概略的構成を示す斜視図である。図１から図４に示す第１実施形態の門扉１と同一の構成、部材には同一の符号を付して説明を省略する。以下、第１実施形態の門扉１との相違点を中心に説明する。
【００４８】
門扉２も門扉１と同様に、門扉本体の前面部１１に折畳み式の屋根５３を備え、この屋根５３を折畳むことで積雪時でも門扉本体１０の前方に門扉２を開けるためのスペースを確保することができる。このように基本的構成は、門扉１と同一であるが、屋根５３の形状、構造が異なる。
【００４９】
屋根５３は、組み立てられた状態で直方体を斜めに切断したような形状を有する。屋根５３は、矩形形状の後壁６１及び前壁６５、直角三角形の形状を有する側壁６３及び側壁６７を有し、底面は開口し内部は空洞である。さらに屋根５３には、屋根５３を折畳み又は組み立てる際に使用する第１ロープ、第２ロープ（省略）が、側壁６３及び側壁６７に取付けられている。
【００５０】
後壁６１は、門扉本体前面部１１と同一の大きさの透明アクリル板で形成され、外枠フレーム１３にボルトで固定されている。後壁６１は、門扉本体１０の裏面、構内４側から屋根５３の内部に雪が入り込むことを防止する目的で設けられている。
【００５１】
前壁６５は、矩形形状の透明アクリル板であり、上辺がヒンジ３９を介して後壁６１に回動自在に連結されている。前壁６５の幅は、後壁６１の幅と同じであり、長さは、屋根５３を組み立てたとき底辺６９が門扉本体１０の下辺と略同一平面内となる長さを有する。
【００５２】
前壁６３は、屋根５３が組み立てられた状態で傾斜しているので、この時点で底辺６９が地面９に接触していなくても、屋根５３を折畳むことで下辺６９が地面９に接触する場合もある。この点に留意し、屋根５３を組み立てた状態及び屋根５３を折畳んだ状態で門扉本体１０を回動可能な範囲で、限りなく地面９に近接する位置となるように設置されている。特に傾斜角度が大きい場合には注意が必要である。
【００５３】
前壁６５の前面部には、立入禁止の看板３０が取付けられている。この看板３０は、屋根５３を折畳んだとき鉛直方向となるように取付けられている。また前壁６５の底辺６９には、屋根５３を折畳んだとき、屋根５３が開かないように折り畳んだ屋根５３を門扉本体１０に固定する固定フック（図示省略）が取付けられている。
【００５４】
側壁６３及び側壁６７は、直角三角形の形状の透明アクリル板であり、同一の大きさ、形状である。側壁６３及び側壁６７の傾斜した辺の長さは、前壁６５の側辺の長さと同一であり、傾斜した辺がヒンジ３９を介して前壁６５の両側辺にそれぞれ回動自在に連結されている。側壁６３及び側壁６７の下辺の幅は、屋根３１の側壁３７の下辺と同様に決定することができ、ここでも前壁６５の上に雪が積もらない傾斜角度となっている。
【００５５】
上記のように後壁６１と前壁６５、前壁６５と側壁６３、前壁６５と側壁６７は、ヒンジ３９を介して互いに連結されるが、後壁６１と側壁６３及び後壁６１と側壁６７とは連結していない。このように構成することで、側壁６３及び側壁６７を起立させることで屋根５３を組み立てることができ、逆に側壁６３及び側壁６７を折り畳むことで屋根５３を折畳むことができ、簡単に屋根５３の組み立て、折り畳みが可能となる。
【００５６】
屋根５３を折畳むことで門扉本体１０の前方に形成されるスペース５５の形状は、平面視において長方形であり、門扉本体１０を開けるとき門扉本体１０が描く軌跡を十分にカバーすることができる大きさである。
【００５７】
後壁６１、側壁６３、前壁６５及び側壁６７には、屋根３１の後壁３３、前壁３５、及び側壁３７と同様に貫通孔４６が穿設されている。この貫通孔４６の機能、貫通孔４６の穿設要領等は、屋根３１の後壁３３、前壁３５、及び側壁３７と同一である。後壁６１、前壁６５及び側壁６７に小窓４７が設けられている点も屋根３１と同一である。また側壁６３、側壁６７の端面に位置決め用の三角締まり（図示省略）が取付けられている点、係止フック（図示省略）が設けられている点も屋根３１と同一である。
【００５８】
さらに側壁６３及び側壁６７にはそれぞれ、第１ロープ、第２ロープが設けられ（図示省略）ている。第１ロープ、第２ロープの取付け要領及び使用方法は、屋根３１と同一であり、後壁６１に第１ロープが貫通する貫通孔が設けられている点も屋根３１と同じである。但し、側壁６３に取付けられる第２ロープは、門扉本体１０と門柱７との間から門扉本体１０の裏側に挿入されている。
【００５９】
屋根５３を折畳むときは、側壁６３及び側壁６７に取付けられた係止フックを外し、側壁６３及び側壁６７が後壁６１と前壁６５との間に位置するように屋根５３を折畳む。屋根５３を組み立てるときは、後壁６１と前壁６５に取付けられた第２ロープを引っ張り側壁６３と側壁６７を起立させる。これにより側壁６３及び側壁６７に連結する前壁６５も起立する。
【００６０】
門扉２の使用方法は、門扉１の使用方法と基本的に同一であり、門扉２の基本的機能、作用効果、さらにはワンタッチで組み立て又は折畳むことができる点も門扉１と同じである。門扉２は、門扉１に比較して、少し構造が複雑となるが、大きなスペース５５を確保することができ、門扉本体１０に対して荷重が左右均等に加わる点は、門扉１に比較して優位な点と言える。
【００６１】
図６は、本発明の第３実施形態の門扉３の概略的構成を示す斜視図である。図１から図４に示す第１実施形態の門扉１及び図５に示す第２実施形態の門扉２と同一の構成、部材には同一の符号を付して説明を省略する。以下、第１実施形態の門扉１、第２実施形態の門扉２との相違点を中心に説明する。
【００６２】
門扉３も門扉１及び門扉２と同様に、門扉本体の前面部１１に折畳み式の屋根５７を備え、この屋根５７を折畳むことで積雪時でも門扉本体１０の前方に門扉３を開けるためのスペース５９を確保することができる。このように基本的構成は、門扉１及び門扉２と同一であるが、屋根５７の形状、構造が異なる。
【００６３】
屋根５７は、屋根５３と近似した形状を有し、屋根５３の下方に長方体の屋根を足したような形状を有する。屋根５７は、矩形形状の後壁６１、前壁Ａ７１、前壁Ｂ７３、側壁Ｃ７５及び側壁Ｄ７７、直角三角形の形状を有する側壁Ｅ７９及び側壁Ｆ８１を有し、底面は開口し内部は空洞である。さらに屋根５７には、屋根５７を折畳み又は組み立てる際に使用する第１ロープ、第２ロープ（省略）が、側壁Ｃ７５、側壁Ｄ７７、側壁Ｅ７９及び側壁Ｆ８１に取付けられている。
【００６４】
前壁Ａ７１は、矩形形状の透明アクリル板であり、上辺がヒンジ３９を介して後壁６１に回動自在に連結されている。前壁Ａ７１は下辺には、矩形形状の透明アクリル板からなる前壁Ｂ７３がヒンジ３９を介して回動可能に接続する。前壁Ａ７１及び前壁Ｂ７３の幅は、後壁６１の幅と同じである。屋根５７を組み立てた状態で前壁Ａ７１は傾斜し、前壁Ｂ７３は鉛直となる。また、屋根５７を組み立てた状態で前壁Ａ７１の傾斜角は、前壁Ａ７１上に雪が積もらない角度となっている。
【００６５】
前壁Ａ７１は、屋根５７が組み立てられた状態で傾斜しているので、この時点で前壁Ｂ７３の底辺８３が地面９に接触していなくても、屋根５７を折畳むことで前壁Ｂ７３の底辺８３が地面９に接触する場合もある。この点に留意し、前壁Ａ７１及び前壁Ｂ７３は、
屋根５７を組み立てた状態及び屋根５７を折畳んだ状態で門扉本体１０を回動可能な範囲で、限りなく地面９に近接する位置となるように設置されている。特に傾斜角度が大きい場合には注意が必要である。
【００６６】
前壁Ａ７１の前面部には、立入禁止の看板３０が取付けられている。この看板３０は、屋根５７を折畳んだとき鉛直方向となるように取付けられている。また前壁Ｂ７３の底辺８３には、屋根５７を折畳んだとき、屋根５７が開かないように折り畳んだ屋根５７を門扉本体１０に固定する固定フック（図示省略）が取付けられている。
【００６７】
側壁Ｅ７９及び側壁Ｆ８１は、直角三角形の形状の透明アクリル板であり、同一の大きさ、形状である。側壁Ｅ７９及び側壁Ｆ８１の傾斜した辺の長さは、前壁Ａ７１の側辺の長さと同一であり、傾斜した辺がヒンジ３９を介して前壁Ａ７１の両側辺にそれぞれ回動自在に連結されている。側壁Ｅ７９及び側壁Ｆ８１の底辺の幅は、屋根３１の側壁３７の底辺と同様に決定することができる。
【００６８】
側壁Ｃ７５及び側壁Ｄ７７は、矩形形状の透明アクリル板であり、同一の大きさ、形状である。側壁Ｃ７５及び側壁Ｄ７７の高さは、前壁Ｂ７３と同一の高さであり、幅は、側壁Ｅ７９及び側壁Ｆ８１の底辺の幅と同一である。側壁Ｃ７５及び側壁Ｄ７７は、高さ方向の一辺がヒンジ３９を介して前壁Ｂ７１の両側辺にそれぞれ回動自在に連結されている。一方で、側壁Ｅ７９及び側壁Ｆ８１とは接続されていない。
【００６９】
上記のように後壁６１と前壁Ａ７１、前壁Ａ７１と前壁Ｂ７３、前壁Ａ７１と側壁Ｅ７９及び側壁Ｆ８１、前壁Ｂ７３と側壁Ｃ７５及び側壁Ｄ７７は、ヒンジ３９を介して互いに連結されるが、後壁６１と側壁Ｃ７５、側壁Ｄ７７、側壁Ｅ７９及び側壁Ｆ８１、さらには側壁Ｃ７５と側壁Ｄ７９及び側壁Ｄ７７と側壁Ｆ８１とは連結していない。このように構成することで、４つの側壁Ｃ７５、側壁Ｄ７７、側壁Ｅ７９及び側壁Ｆ８１を起立させることで屋根５７を組み立てることができ、逆に４つの側壁Ｃ７５、側壁Ｄ７７、側壁Ｅ７９及び側壁Ｆ８１を折り畳むことで屋根５７を折畳むことができ、簡単に屋根５７の組み立て、折り畳みが可能となる。
【００７０】
屋根５７を折畳むことで門扉本体１０の前方に形成されるスペース５９の形状は、平面視において長方形であり、門扉本体１０を開けるとき門扉本体１０が描く軌跡を十分にカバーすることができる大きさである。
【００７１】
前壁Ａ７１、前壁Ｂ７３、側壁Ｃ７５、側壁Ｄ７７、側壁Ｅ７９及び側壁Ｆ８１には、屋根３１の後壁３３、前壁３５、及び側壁３７と同様に貫通孔４６が穿設されている。この貫通孔４６の機能、貫通孔４６の穿設要領等は、屋根３１の後壁３３、前壁３５、及び側壁３７と同一である。前壁Ａ７１及び側壁Ｆ８１に小窓４７が設けられている点も屋根３１と同一である。また側壁Ｃ７５、側壁Ｄ７７、側壁Ｅ７９及び側壁Ｆ８１の端面に位置決め用の三角締まり（図示省略）が取付けられている点、係止フック（図示省略）が設けられている点も屋根３１と同一である。
【００７２】
さらに側壁Ｃ７５、側壁Ｄ７７、側壁Ｅ７９及び側壁Ｆ８１にはそれぞれ、第１ロープ、第２ロープが設けられ（図示省略）ている。第１ロープ、第２ロープの取付け要領は、側壁Ｃ７５及び側壁Ｅ７９を屋根５３の側壁６３と、側壁Ｄ７７及び側壁Ｆ８１を屋根５３の側壁６７と考えた場合と同じである。
【００７３】
屋根５７の折畳み要領、組み立て要領も、側壁Ｃ７５及び側壁Ｅ７９を屋根５３の側壁６３、側壁Ｄ７７及び側壁Ｆ８１を屋根５３の側壁６７、また前壁Ａ７１及び前壁Ｂ７３を屋根５３の前壁６５に置き換えれば、屋根５３の折畳み要領、組み立て要領と同じである。
【００７４】
門扉３の使用方法は、門扉１及び門扉２の使用方法と基本的に同一であり、門扉３の基本的機能、作用効果、さらにはワンタッチで組み立て又は折畳むことができる点も門扉１及び門扉２と同じである。門扉３は、門扉１に比較して、少し構造が複雑となるが、大きなスペース５９を確保することができ、門扉本体１０に対して荷重が左右均等に加わる点は、門扉１に比較して優位な点と言える。
【００７５】
第１、第２及び第３実施形態に示す門扉１、門扉２及び門扉３の屋根の構成、機能、作用効果は基本的に同一であるが、屋根３１、屋根５３及び屋根５７を折畳んだとき形成されるスペース５１、５５、及び５９の形状及び大きさは、同一ではない。
【００７６】
図７は、スペース５１、５５、及び５９と門扉本体１０を開けた時の軌跡を模式的に示した図である。図中、ハッチング部分が門扉本体１０を開けた時の軌跡である。（Ａ）は、地面又は地面近傍に形成される一番底となる位置で水平に切断して見たスペース５１、５５、及び５９の大きさである。（Ｂ）は、積雪の高さＨ１（図４参照）における位置で水平に切断して見たスペース５１、５５、及び５９の大きさである。
【００７７】
図７から分かるように地面又は地面近傍では、いずれのスペース５１、５５、及び５９も、門扉本体１０を開けた時の軌跡を上回る大きさを有する。積雪の高さＨ１において、各スペース５１、５５、及び５９の大きさを見てみると、屋根３１及び屋根５３においては、前壁３５及び前壁６５が傾斜しているため地面又は地面近傍に形成されるスペースに比較し狭くなっている。一方、屋根５７が形成するスペース５９は、前壁Ｂ７３が鉛直に設置されているため、地面又は地面近傍と積雪の高さＨ１とでスペースの大きさに変化はない。
【００７８】
屋根３１が形成するスペース５１の水平断面の形状は、直角三角形であるため、位置が高くなるに従って、門柱７側のスペースが狭くなる。図７の場合、積雪の高さＨ１において門扉１を開けた場合、図７（Ｂ）中Ｘで示すように、ほんのわずかであるが積雪の高さＨ１において門扉１が雪に接触する。但し、接触する量は少量であり、力のモーメントの関係からも門柱７近傍の雪は、門扉１を開けるとき大きな支障にはならない。このため除雪することなく門扉１を開けることができるが、そこの雪が邪魔になれば、その部分の雪をスペース５１側に落とせばよい。スペース５１側に落とす雪の量は、スペースの大きさに比較し、圧倒的に少ないからスペース５１側に雪を落としても支障はない。
【００７９】
屋根５３が形成するスペース５５も、積雪の高さＨ１における大きさが地面又は地面近傍に形成されるスペースに比較し狭くなるが、スペース５５の形状が矩形であるため、門柱７側のみが極端に狭くなることはなく、門扉１を開けても雪に接触することはない。屋根５７を使用する場合も、門扉１を開けても雪に接触することはない。
【００８０】
スペースの大きさのみを考えれば、大きなスペースを確保することができる屋根５７が一番好ましく、続いて屋根５３、屋根３１の順となるが、設置の容易性、組み立て、折畳みの容易性、さらにはコストの点では、屋根３１が一番好ましく、続いて屋根５３、屋根５７の順となる。
【００８１】
同じ機能、作用効果を有する屋根３１、５３、５７でも、屋根の形状により特性が異なるので、特性を考慮し積雪の高さに応じて適宜選択すればよい。積雪が高い場合には、屋根５７又は屋根５３を、積雪が低い場合には構造が簡単な屋根３１を選択することができる。
【００８２】
本発明の門扉は、上記実施形態に限定されるものではない。本発明の門扉の最大の特徴は、門扉本体前面部１１に折畳み式の屋根３１、５３、５７を設け、これを折畳むことで、この部分に雪のないスペース５１、５５、５９を確保し、このスペース５１、５５、５９を利用することで積雪時に除雪をすることなく、門扉１、２、３を開閉することができる点にある。上記特徴を備え、屋根の上に雪が積もらない構造であれば、種々変形してもよい。
【００８３】
例えば、門扉１において側壁３７を門扉本体前面部１１に直交するように配置しているが、側壁３７を門柱８側にはみ出すように設置してもよい。また上記実施形態では、片開きの門扉を示したが、門扉本体を２枚有する両開きの門扉にも使用することができる。また屋根は、門扉本体前面部に固定するため軽い方が好ましい。屋根を形成する壁材を薄く、軽くすることで変形、破損が懸念される場合は必要に応じて補強材で補強すればよい。
【符号の説明】
【００８４】
１、２、３  門扉
４  構内
５  構外
６  外構フェンス
７、８  門柱
９  地面
１０  門扉本体
１１  門扉本体前面部
２７  ヒンジ
３１  屋根
３３  後壁
３５  前壁
３７  側壁
３９  ヒンジ
５１  スペース
５３  屋根
５５  スペース
５７  屋根
５９  スペース
６１  後壁
６３  側壁
６５  前壁
６７  側壁
７１  前壁Ａ
７３  前壁Ｂ
７５  側壁Ｃ
７７  側壁Ｄ
７９  側壁Ｅ
８１  側壁Ｆ
【図１】
2013119742.tif 000003
【図２】
2013119742.tif 000004
【図３】
2013119742.tif 000005
【図４】
2013119742.tif 000006
【図５】
2013119742.tif 000007
【図６】
2013119742.tif 000008
【図７】
2013119742.tif 000009